(57)【要約】【課題】ＤＴＰなどによって作成される設計データを有効に利用し、設計の効率を向上させることを可能にする。【解決手段】ユニット分割部２６ａは、商品についての印刷物用の設計データをユニットに分割し、この分割されたユニットに含まれるレイアウトデータとユニットに関連付けられた付属データとを含むユニット保管データを生成し、このユニット保管データとレイアウトデータ中で用いられるデータのファイルとに対して、商品に対応する一意に決定される識別データ（ＩＤ）を、保存場所を示すフォルダ名あるいはファイル名として付加する。ユニット分割部２６ａは、識別データに応じて付加されたフォルダ名あるいはファイル名に応じて、ユニットデータ３４ａをユニットデータベース３４に保存する。【選択図】　　図２
2004133658.tif 000002
【特許請求の範囲】
【請求項１】
商品についての印刷物用の設計データをユニットとして分割するユニット分割手段と、
前記ユニット分割手段によって分割されたユニットに含まれるレイアウトデータと、前記ユニットに関連付けられた付属データとを含むユニット保管データを生成するユニット保管データ生成手段と、
前記レイアウトデータ中で用いられるデータのファイルと前記ユニット保管データ生成手段によって生成されたユニット保管データとを、前記商品に対応する一意に決定される識別データを付加してユニットデータとして保存する保存手段と
を具備したことを特徴とする設計システム。
【請求項２】
商品に関するデータを商品に固有の識別データを含めて登録する商品情報管理手段と、
前記商品情報管理手段によって登録された商品についての印刷物を掲載する媒体に関するデータを登録する媒体情報管理手段と、
前記媒体情報管理手段によってデータが登録された媒体に掲載させる商品を、前記商品情報管理手段によってデータが登録された商品から選定させて登録する商品選定手段と、
前記商品選定手段によって登録された商品が示す識別データに対応するユニットデータを前記保存手段によって保存されたユニットデータから検索するユニットデータ検索手段と、
前記ユニットデータ検索手段によって検索されたユニットデータを、前記商品選定手段によって選択された商品についての印刷物用の設計データを作成するために提供するユニットデータ提供手段と
を具備したことを特徴とする請求項１記載の設計システム。
【請求項３】
ユニットデータ中の特定のデータと前記商品情報管理手段によって登録された商品に関する商品データとを関連付ける関連付け手段と、
前記ユニットデータに対する変更を前記関連付け手段によって関連付けられた商品データに反映させる第１の反映手段と
を具備したことを特徴とする請求項２記載の設計システム。
【請求項４】
前記商品情報管理手段によって登録された商品に関する商品データに対する変更を前記関連付け手段によって関連付けられたユニットデータ中の特定のデータに反映させる第２の反映手段と
を具備したことを特徴とする請求項３記載の設計システム。
【請求項５】
前記ユニット保管データ生成手段によって生成されたユニット保管データ毎に、前記レイアウトデータと前記付属データとを表示するユニット表示手段と、
前記ユニット表示手段によって表示された前記レイアウトデータあるいは前記付属データに対して編集を行う編集手段とを具備し、
前記第１の反映手段は、前記編集手段によって前記レイアウトデータあるいは前記付属データが編集された前記ユニットデータを、前記関連付け手段によって関連付けられた商品データに反映させることを特徴とする請求項３記載の設計システム。
【請求項６】
前記レイアウトデータと、このレイアウトデータ中で用いられるデータをもとに、プレビュー用のデータを生成するプレビュー用データ生成手段を具備し、
前記保存手段は、前記プレビュー用データ生成手段によって生成されたプレビュー用データを前記ユニットデータと対応づけて保存することを特徴とする請求項１記載の設計システム。
【請求項７】
前記媒体情報管理手段によって登録された媒体における、商品についての印刷物を掲載すべきレイアウトを表示するレイアウト表示手段と（ここでのレイアウトはコマ割りパレットと台割パレットを表しています）、
前記レイアウト表示手段によってレイアウトが表示された媒体に対応する、前記商品選定手段によって登録された商品について一覧表示する商品表示手段と、
前記商品表示手段によって表示された商品に対する、前記レイアウト表示手段によって表示されたレイアウトにおける位置の指定を入力する位置指定入力手段と、
前記位置指定入力手段によって位置の指定が入力された商品について、この商品に対応する前記保存手段によって保存されたユニットデータをもとに、前記レイアウトにおける位置を設定するレイアウト位置設定手段と
を具備したことを特徴とする請求項２記載の設計システム。
【請求項８】
前記レイアウト位置設定手段によって設定された商品の前記レイアウトにおける位置に応じて、当該商品に対応する前記保存手段によって保存されたユニットデータをもとに、前記媒体に掲載される商品についての印刷物用の設計データを生成する設計データ生成手段を具備したことを特徴とする請求項６記載の設計システム。
【請求項９】
前記レイアウト位置設定手段によって設定された商品の前記レイアウトにおける位置に応じて、当該商品についての印刷物の前記媒体における掲載位置を表すインデックスデータを生成するインデックスデータ生成手段を具備したことを特徴とする請求項７記載の設計システム。
【請求項１０】
コンピュータを、
商品についての印刷物用の設計データからグループ化されたデータをユニットとして分割するユニット分割手段と、
前記ユニット分割手段によって分割されたユニットに含まれるレイアウトデータと、前記ユニットに関連付けられた付属データとを含むユニット保管データを生成するユニット保管データ生成手段と、
前記レイアウトデータ中で用いられるデータのファイルと前記ユニット保管データ生成手段によって生成されたユニット保管データとを、前記商品に対応する一意に決定される識別データを付加してユニットデータとして保存する保存手段とに機能させるための設計プログラム。
【請求項１１】
コンピュータを、
商品に関するデータを商品に固有の識別データを含めて登録する商品情報管理手段と、
前記商品情報管理手段によって登録された商品についての印刷物を掲載する媒体に関するデータを登録する媒体情報管理手段と、
前記媒体情報管理手段によってデータが登録された媒体に掲載させる商品を、前記商品情報管理手段によってデータが登録された商品から選定させて登録する商品選定手段と、
前記商品選定手段によって登録された商品について作成された印刷物用の設計データをユニットとして分割するユニット分割手段と、
前記ユニット分割手段によって分割されたユニットに含まれるレイアウトデータと、前記ユニットに関連付けられた付属データとを含むユニット保管データを生成するユニット保管データ生成手段と、
前記レイアウトデータ中で用いられるデータのファイルと前記ユニット保管データ生成手段によって生成されたユニット保管データとを、前記商品に対応する一意に決定される識別データを付加してユニットデータとして保存する保存手段と、
前記商品選定手段によって登録された商品が示す識別データに対応するユニットデータを前記保存手段によって保存されたユニットデータから検索するユニットデータ検索手段と、
前記ユニットデータ検索手段によって検索されたユニットデータを、前記商品選定手段によって選択された商品についての印刷物用の設計データを作成するために提供するユニットデータ提供手段とに機能させるための設計プログラム。
【請求項１２】
商品についての印刷物用の設計データからグループ化されたデータをユニットとして分割し、
この分割されたユニットに含まれるレイアウトデータと、前記ユニットに関連付けられた付属データとを含むユニット保管データを生成し、
この生成されたユニット保管データと前記レイアウトデータ中で用いられるデータのファイルとを、前記商品に対応する一意に決定される識別データを付加してユニットデータとして保存することを特徴とする設計データ管理方法。
【発明の詳細な説明】
【０００１】
【発明の属する技術分野】
本発明は、ＤＴＰ（Ｄｅｓｋｔｏｐ　Ｐｕｂｌｉｓｈｉｎｇ）により作成された設計データを扱う設計システム、設計プログラム、設計データ管理方法に関する。
【０００２】
【従来の技術】
従来、ＤＴＰなどで作成された印刷物（出版物）のデザインやレイアウトを定義する設計データの保管方法としては、印刷物で使用される素材単位（テキストや画像、イラストの各データが独立してファイル化された状態）での保存か、最終的に使用される状態、例えば校了後の印刷データでの保存が行われていた。
【０００３】
【発明が解決しようとする課題】
前述のように素材単位でデータ（素材データ）の保存を行っている場合には、以下のような問題点があった。
【０００４】
第１に、以前と同じデザインによって印刷物を作成したい場合、素材データを再利用することができるものの、デザインについては同じデザイン作業が必要となる。
【０００５】
第２に、デザイン、レイアウト、校正などの作業工程において、素材に対して修正などがあった時、常に最新の素材のデータを保存している場合には、修正前のイラストや画像データを使用することができない。
【０００６】
第３に、常に全ての最新の素材データを保存している場合、１つのデザインに対して複数の素材データが保存されることになり、素材データを流用しようとしても、あるデザインに対して何れの素材データを流用すべきかを容易に判断することが困難となっている。
【０００７】
また、最終的に使用される印刷データなどで保存を行っている場合には、以下のような問題があった。
【０００８】
第１に、多数保存されている印刷データから、印刷内容である例えば商品をもとに必要とする印刷データを探し出すのが困難である。
【０００９】
第２に、利用したいレイアウトで使用されている画像やイラストなどの素材データなどを取り出すのが困難である。
【００１０】
第３に、設計データを作成するための参考として、レイアウト上で表現されていない情報が必要な場合、別途管理された情報から必要な情報を探し出して、印刷あるいは表示させるなどして参照する必要がある。
【００１１】
このように従来の設計データの管理では、保存してある素材データあるいは印刷データから流用しようとする必要なデータを簡単に検索することができないために、保存してあるデータを設計効率の向上に有効利用することが十分にできなかった。
【００１２】
本発明は前記のような事情を考慮してなされたもので、その目的とするところは、ＤＴＰなどによって作成される設計データを有効に利用し、設計の効率を向上させることが可能な設計システム、設計プログラム、設計データ管理方法を提供することにある。
【００１３】
【課題を解決するための手段】
本発明はかかる課題を解決するものであり、請求項１の発明は、商品についての印刷物用の設計データをユニットとして分割するユニット分割手段と、前記ユニット分割手段によって分割されたユニットに含まれるレイアウトデータと、前記ユニットに関連付けられた付属データとを含むユニット保管データを生成するユニット保管データ生成手段と、前記レイアウトデータ中で用いられるデータのファイルと前記ユニット保管データ生成手段によって生成されたユニット保管データとを、前記商品に対応する一意に決定される識別データを付加してユニットデータとして保存する保存手段とを具備したことを特徴としたものである。
【００１４】
本発明の請求項２の発明は、商品に関するデータを商品に固有の識別データを含めて登録する商品情報管理手段と、前記商品情報管理手段によって登録された商品についての印刷物を掲載する媒体に関するデータを登録する媒体情報管理手段と、前記媒体情報管理手段によってデータが登録された媒体に掲載させる商品を、前記商品情報管理手段によってデータが登録された商品から選定させて登録する商品選定手段と、前記商品選定手段によって登録された商品が示す識別データに対応するユニットデータを前記保存手段によって保存されたユニットデータから検索するユニットデータ検索手段と、前記ユニットデータ検索手段によって検索されたユニットデータを、前記商品選定手段によって選択された商品についての印刷物用の設計データを作成するために提供するユニットデータ提供手段とを具備したことを特徴としたものである。
【００１５】
本発明の請求項３の発明は、ユニットデータ中の特定のデータと前記商品情報管理手段によって登録された商品に関する商品データとを関連付ける関連付け手段と、前記ユニットデータに対する変更を前記関連付け手段によって関連付けられた商品データに反映させる第１の反映手段とを具備したことを特徴としたものである。
【００１６】
本発明の請求項４の発明は、前記商品情報管理手段によって登録された商品に関する商品データに対する変更を前記関連付け手段によって関連付けられたユニットデータ中の特定のデータに反映させる第２の反映手段とを具備したことを特徴としたものである。
【００１７】
本発明の請求項５の発明は、前記ユニット保管データ生成手段によって生成されたユニット保管データ毎に、前記レイアウトデータと前記付属データとを表示するユニット表示手段と、前記ユニット表示手段によって表示された前記レイアウトデータあるいは前記付属データに対して編集を行う編集手段とを具備し、前記第１の反映手段は、前記編集手段によって前記レイアウトデータあるいは前記付属データが編集された前記ユニットデータを、前記関連付け手段によって関連付けられた商品データに反映させることを特徴としたものである。
【００１８】
本発明の請求項６の発明は、前記レイアウトデータと、このレイアウトデータ中で用いられるデータをもとに、プレビュー用のデータを生成するプレビュー用データ生成手段を具備し、前記保存手段は、前記プレビュー用データ生成手段によって生成されたプレビュー用データを前記ユニットデータに含めて保存することを特徴としたものである。
【００１９】
本発明の請求項７の発明は、前記媒体情報管理手段によって登録された媒体における、商品についての印刷物を掲載すべきレイアウトを表示するレイアウト表示手段と、前記レイアウト表示手段によってレイアウトが表示された媒体に対応する、前記商品選定手段によって登録された商品について一覧表示する商品表示手段と、前記商品表示手段によって表示された商品に対する、前記レイアウト表示手段によって表示されたレイアウトにおける位置の指定を入力する位置指定入力手段と、前記位置指定入力手段によって位置の指定が入力された商品について、この商品に対応する前記保存手段によって保存されたユニットデータをもとに、前記レイアウトにおける位置を設定するレイアウト位置設定手段とを具備したことを特徴としたものである。
【００２０】
本発明の請求項８の発明は、前記レイアウト位置設定手段によって設定された商品の前記レイアウトにおける位置に応じて、当該商品に対応する前記保存手段によって保存されたユニットデータをもとに、前記媒体に掲載される商品についての印刷物用の設計データを生成する設計データ生成手段を具備したことを特徴としたものである。
【００２１】
本発明の請求項９の発明は、前記レイアウト位置設定手段によって設定された商品の前記レイアウトにおける位置に応じて、当該商品についての印刷物の前記媒体における掲載位置を表すインデックスデータを生成するインデックスデータ生成手段を具備したことを特徴としたものである。
【００２２】
本発明の請求項１０の発明は、コンピュータを、商品についての印刷物用の設計データからグループ化されたデータをユニットとして分割するユニット分割手段と、前記ユニット分割手段によって分割されたユニットに含まれるレイアウトデータと、前記ユニットに関連付けられた付属データとを含むユニット保管データを生成するユニット保管データ生成手段と、前記レイアウトデータ中で用いられるデータのファイルと前記ユニット保管データ生成手段によって生成されたユニット保管データとを、前記商品に対応する一意に決定される識別データを付加してユニットデータとして保存する保存手段とに機能させるとしたものである。
【００２３】
本発明の請求項１１の発明は、コンピュータを、商品に関するデータを商品に固有の識別データを含めて登録する商品情報管理手段と、前記商品情報管理手段によって登録された商品についての印刷物を掲載する媒体に関するデータを登録する媒体情報管理手段と、前記媒体情報管理手段によってデータが登録された媒体に掲載させる商品を、前記商品情報管理手段によってデータが登録された商品から選定させて登録する商品選定手段と、前記商品選定手段によって登録された商品について作成された印刷物用の設計データをユニットとして分割するユニット分割手段と、前記ユニット分割手段によって分割されたユニットに含まれるレイアウトデータと、前記ユニットに関連付けられた付属データとを含むユニット保管データを生成するユニット保管データ生成手段と、前記レイアウトデータ中で用いられるデータのファイルと前記ユニット保管データ生成手段によって生成されたユニット保管データとを、前記商品に対応する一意に決定される識別データを付加してユニットデータとして保存する保存手段と、前記商品選定手段によって登録された商品が示す識別データに対応するユニットデータを前記保存手段によって保存されたユニットデータから検索するユニットデータ検索手段と、前記ユニットデータ検索手段によって検索されたユニットデータを、前記商品選定手段によって選択された商品についての印刷物用の設計データを作成するために提供するユニットデータ提供手段とに機能させるとしたものである。
【００２４】
本発明の請求項１２の発明は、商品についての印刷物用の設計データからグループ化されたデータをユニットとして分割し、この分割されたユニットに含まれるレイアウトデータと、前記ユニットに関連付けられた付属データとを含むユニット保管データを生成し、この生成されたユニット保管データと前記レイアウトデータ中で用いられるデータのファイルとを、前記商品に対応する一意に決定される識別データを付加してユニットデータとして保存することを特徴としたものである。
【００２５】
請求項１，１０，１２に記載の発明によれば、商品についての印刷物用として作成された設計データが例えばグループ化されたデータ関係などをもとにユニット分割手段によってユニットとして分割され、このユニット分割手段によって分割されたユニットについて、ユニットに含まれるレイアウトデータとユニットに関連付けられた付属データ（例えば、レイアウト上には表れないデータなど）とを含むユニット保管データがユニット保管データ生成手段によって生成され、レイアウトデータ中で用いられるデータのファイルとユニット保管データとが、商品に対応する一意に決定される識別データ（例えば、商品に対して予め設定されている商品ＩＤ）が例えばファイルの保存場所を表すフォルダ名、ファイル名として付加されてユニットデータとして保存される。
【００２６】
請求項２，１１に記載の発明によれば、商品情報管理手段によって商品に関するデータが商品に固有の識別データ（例えば、商品ＩＤ）を含めて登録され、媒体情報管理手段によって商品についての印刷物を掲載する媒体に関するデータが登録され、商品選定手段によって媒体に掲載させる商品が、商品情報管理手段によって登録された商品から選択されて登録される。ユニットデータ検索手段により、商品選定手段によって登録された商品が示す識別データに対応するユニットデータが保存手段によって保存されたユニットデータから検索され、このユニットデータがユニットデータ提供手段により、商品選定手段によって選択された商品についての印刷物用の設計データを作成するために提供される。
【００２７】
請求項３に記載の発明によれば、関連付け手段によってユニットデータ中の特定のデータと商品情報管理手段によって登録された商品に関する商品データとが関連付けられることにより、設計データ生成手段によって作成されたユニットデータが関連付け手段によって関連付けられた商品データに反映される。
【００２８】
請求項４に記載の発明によれば、関連付け手段によってユニットデータ中の特定のデータと商品情報管理手段によって登録された商品に関する商品データとが関連付けられることにより、前記商品情報管理手段によって登録された商品に関する商品データに対する変更が前記関連付け手段によって関連付けられたユニットデータ中の特定のデータに反映される。
【００２９】
請求項５に記載の発明によれば、ユニット表示手段により、ユニット保管データ生成手段によって生成されたユニット保管データ毎にレイアウトデータと付属データとが表示され、この表示されたレイアウトデータあるいは付属データに対して編集手段により編集が行われ、この編集されたレイアウトデータあるいは付属データが第１の反映手段により商品データに反映される。
【００３０】
請求項６に記載の発明によれば、レイアウトデータと、このレイアウトデータ中で用いられるデータをもとに、プレビュー用データ生成手段によりプレビュー用のデータが生成され、保存手段により、プレビュー用データ生成手段によって生成されたプレビュー用データがユニットデータに含めて保存される。
【００３１】
請求項７に記載の発明によれば、媒体情報管理手段によって登録された媒体における、商品についての印刷物を掲載すべきレイアウトがレイアウト表示手段により表示され、レイアウト表示手段によってレイアウトが表示された媒体に対応する商品選定手段によって登録された商品について商品表示手段によって一覧表示され、商品表示手段によって表示された商品に対するレイアウト表示手段によって表示されたレイアウトにおける位置の指定が位置指定入力手段により入力されると、この位置の指定が入力された商品について、この商品に対応するユニットデータをもとに、レイアウトにおける位置がレイアウト位置設定手段により設定される。
【００３２】
請求項８に記載の発明によれば、レイアウト位置設定手段によって設定された商品のレイアウトにおける位置に応じて、当該商品に対応する保存手段によって保存されたユニットデータをもとに、媒体に掲載される商品についての印刷物用の設計データが設計データ生成手段により生成される。
【００３３】
請求項９に記載の発明によれば、レイアウト位置設定手段によって設定された商品のレイアウトにおける位置に応じて、当該商品についての印刷物の媒体における掲載位置を表すインデックスデータがインデックスデータ生成手段により生成される。
【００３４】
【発明の実施の形態】
以下、図面を参照して本発明の実施の形態について説明する。図１は本実施形態に係わる設計システムのシステム構成を示すブロック図である。図１に示すように、本実施形態における設計システムは、データベースシステム１６を実現するサーバ１０と、このサーバ１０とネットワークを介して接続されたパーソナルコンピュータなどにより構成されるクライアント端末１２により構成される。
【００３５】
データベースシステム１６は、各種データを蓄積するデータベース２０と、データベース２０を管理するデータベース管理部２２により実現される（詳細については後述する）。クライアント端末１２からは、例えばＷｅｂブラウザプログラムを通じてデータベース管理部２２が利用され、データベース２０に対するデータの検索や登録などが実行される。
【００３６】
クライアント端末１２は、ＤＴＰ（Ｄｅｓｋｔｏｐ　Ｐｕｂｌｉｓｈｉｎｇ）プログラムにより実現されるＤＴＰ機能部２４によって、キーボードやマウスなどの入力装置から入力された指示に応じて、表示装置の画面上で印刷物などの設計データ（ＤＴＰデータ）を作成する機能を提供する。また、クライアント端末１２のＤＴＰ機能部２４は、ＤＴＰクライアント部２６及びコマ割部２８が提供する機能により、データベースシステム１６を利用して商品についての情報を媒体に掲載する紙面のデザインやレイアウトなどを定義する設計データを作成することができる。なお、各機能部の詳細については後述する。
【００３７】
サーバ１０におけるデータベース１６は、クライアント端末１２にだけに限らず他のクライアント端末１４…などによって、ネットワークを通じて共用することができる。また、図１に示す設計システムでは、サーバ１０とクライアント端末１２により実現されるものとしているが、スタンドアロンの例えばパーソナルコンピュータなどによって実現することも可能である。
【００３８】
図１におけるサーバ１０、クライアント端末１２，１４…は、例えばＣＤ−ＲＯＭ、ＤＶＤ、磁気ディスク等の記録媒体に記録されたプログラムを読み込み、このプログラムによって動作が制御されるコンピュータによって実現される。
【００３９】
図２は、図１に示すシステム構成により実現される設計システムの機能構成を示すブロック図である。図２に示す各機能は、それぞれに対応するプログラムが実行されることにより、サーバ１０あるいはクライアント端末１２において実現される。
図２に示すように、本実施形態における設計システムは、データベース２０、データベース管理部２２、ＤＴＰクライアント部２６、ＤＴＰ機能部２４、コマ割部２８が設けられている。
【００４０】
データベース２０は、ＤＴＰ機能部２４によって作成される印刷物の内容に関係する商品についての商品情報データ３０ａが登録される商品データベース３０と、ＤＴＰ機能部２４によって作成された設計データをもとに印刷される印刷物を掲載する形態、例えば求人広告誌、カタログ冊子、チラシなど（以下、これらを媒体と称する）に関するデータが登録される媒体データベース３２と、設計データをもとにして生成されるユニットデータ３４ａや、媒体における商品（商品に対応するユニットデータ）の掲載位置を表すコマ割情報３４ｂなど各種データが登録されるユニットデータベース３４などが設けられる。
【００４１】
データベース管理部２２には、商品情報管理部２２ａ、媒体情報管理部２２ｂ、商品選定部２２ｃなどの機能が設けられる。
商品情報管理部２２ａは、商品データベース３０に登録される商品情報データ３０ａの管理（登録、読み出し、修正等）を行なうもので、商品に関するデータを商品に固有の識別データ（任意に設定されるＩＤ）を含めて登録する。
【００４２】
媒体情報管理部２２ｂは、媒体データベース３２の媒体データ３２ａの管理を行なうもので、商品情報管理部２２ａによって商品データベース３０に登録された商品（商品情報データ３０ａ）についての印刷物を掲載する媒体に関するデータを登録する。
【００４３】
商品選定部２２ｃは、媒体データベース３２の掲載スケジュールデータ３２ｂの管理を行なうもので、媒体情報管理部２２ｂによってデータが登録された媒体に掲載させる商品を、商品情報管理部２２ａによって商品情報データ３０ａが登録された商品から選定させて登録する。
【００４４】
ＤＴＰ機能部２４は、キーボードやマウスなどの入力装置から入力された指示に応じて、表示装置の画面上で印刷物などのデザインやレイアウトなどを定義するＤＴＰデータを作成する。ＤＴＰ機能部２４は、商品データベース３０に登録された商品についてのＤＴＰデータを作成する場合、この商品に対応するユニットデータベース３４に登録されたユニットデータ３４ａを利用することができる。
【００４５】
ＤＴＰクライアント部２６には、ユニット分割部２６ａ、ユニットアップロード部２６ｂ、ユニットダウンロード部２６ｃ、ページアップ部２６ｄなどの機能が設けられる。
【００４６】
ユニット分割部２６ａは、ＤＴＰ機能部２４によって作成されたＤＴＰデータ（商品についての印刷物用の設計データ）をもとにユニットデータを生成するもので、ＤＴＰデータを例えばＤＴＰデータ中に含まれる各種のデータに対するグループ化の関係などをもとにしてユニットとして分割する。そして、ユニット分割部２６ａは、ユニットに含まれるレイアウトデータと、ユニットに関連付けられた付属データとを含むユニット保管データを生成し、さらにレイアウトデータ中で用いられるデータのファイルとユニット保管データとを、商品に対応する一意に決定される識別データ、例えば商品に対して予め設定されているＩＤをファイルの保存場所を表すフォルダ名、ファイル名として付加する。なお、レイアウトデータは、印刷に用いられる文字、イラスト、画像などの紙面上における位置の定義や、文字、イラスト、画像などのデータファイルの指定などが含まれている。また、ユニットに関連付けられた付属データは、ＤＴＰ機能部２４により作成／編集可能なデータ、例えばテキストデータであり、ＤＴＰデータに基づいて印刷が実行された場合に紙面上には表現されないデータである。
【００４７】
ユニットアップロード部２６ｂは、ユニット分割部２６ａによって生成されたユニットデータ３４ａを、このユニットデータ３４ａに付加された例えばファイルの保存場所を表すフォルダ名及びファイル名に応じて、ユニットデータベース３４に保存する。また、ユニットアップロード部２６ｂは、ＤＴＰ機能部２４によりユニットデータ中の特定のデータ、例えばテキストデータに対して設定された設定内容（例えば、テキストの記載位置を表すテキストボックスの色の設定）をもとに、特定のデータと商品データベース３０に登録された商品に関するデータとを関連付ける。そして、ＤＴＰ機能部２４によってユニットデータの特定のデータに対する変更があった場合に、この特定のデータと関連付けられた商品データベース３０に登録されたデータに反映させる。商品データベース３０に登録されたデータへの反映は、ＤＴＰ機能部２４によるデータの編集時やユニットデータのユニットデータベース３４へのアップロード時に実行することができるが、ダウンロード時に実行しても構わない。さらに、ユニットアップロード部２６ｂは、レイアウトデータと、このレイアウトデータ中で用いられるテキスト、イラスト、画像などのデータをもとに、ＤＴＰデータをもとに印刷した時の印刷イメージを表すプレビュー用のデータを生成し、このプレビュー用データをユニットデータと対応づけて保存させる。例えば、プレビュー用データは、ユニットデータに含めて保存させるものとする（図１３参照）。なお、必ずしもプレビュー用データは、ユニットデータに含める必要はなく、ユニットデータと別に保存されるものとしても良い。
【００４８】
ユニットダウンロード部２６ｃは、ユニットデータベース３４に登録されているユニットデータ３４ａを指定条件に応じてダウンロードするもので、例えば商品情報管理部２２ａにより登録された商品が示す識別データ（ＩＤ）をもとに、このＩＤが付加されたフォルダ名、ファイル名に該当するユニットデータを検索し、この検索されたユニットデータを、商品についての印刷物用の設計データを作成するためにＤＴＰ機能部２４に対して提供する。また、ユニットダウンロード部２６ｃは、ユニットアップロード部２６ｂと同様に、ＤＴＰ機能部２４によりユニットデータ中の特定のデータに対して設定された設定内容をもとに、特定のデータと商品データベース３０に登録された商品に関するデータとを関連付ける。そして商品情報管理部２２ａによって商品データベース３０に登録された商品に関するデータが変更された場合に、そのデータと関連付けられたユニットデータ中の特定のデータに反映させる。ユニットデータベース３４に登録されたユニットデータへの反映は、商品情報管理部２２ａによるデータの編集時やユニットデータのダウンロード時に実行することができるが、アップロード時に実行しても構わない。
【００４９】
ページアップ部２６ｄは、後述するコマ割部２８（コマ割処理部２８ａ）によって設定された商品のレイアウトにおける位置に応じて、当該商品に対応するユニットデータをもとに、媒体に掲載される商品についての印刷物用の設計データを生成する。
【００５０】
また、コマ割り部２８には、コマ割処理部２８ａ、インデックス作成部２８ｂなどの機能が設けられる。
コマ割処理部２８ａは、媒体における商品（商品に対応するユニットデータ３４ａ）の掲載位置を表すコマ割情報３４ｂを作成するもので、媒体情報管理部２２ｂによって登録された媒体における、商品についての印刷物を掲載すべきレイアウト（図２０に示す台割パレット及びコマ割パレット）を表示し、このレイアウトが表示された媒体に対応して、掲載スケジュールデータ３２ｂにより掲載対象として登録された商品について一覧表示（図２０に示す掲載パレット）する。そして、コマ割処理部２８ａは、一覧表示中から選択された商品についてのレイアウト（台割パレット及びコマ割パレット）における位置の指定を入力し、この位置の指定に応じて、この商品に対応するユニットデータ３４ａ（レイアウトサイズなど）をもとにレイアウトにおける位置を設定してコマ割情報３４ｂを作成する。
【００５１】
インデックス作成部２８ｂは、コマ割処理部２８ａにより設定されたコマ割情報３４ｂをもとに、商品についての印刷物の媒体における掲載位置を表すインデックスデータを生成する。
【００５２】
次に、本実施形態における設計システムの動作について説明する。
本実施形態の説明では、媒体として例えば毎週発行される求人広告誌を対象とし、この求人広告誌に求人広告（印刷物）を掲載する会社を商品として扱うものとする。求人広告には、会社を紹介する内容や求人条件などが含まれており、これらの内容を掲載する印刷物のＤＴＰデータがＤＴＰ機能部２４によって作成される。ＤＴＰ機能部２４では、新規にＤＴＰデータを作成する他、過去に求人広告誌に掲載した求人広告と同じデザインやレイアウトを用いる場合には、過去に作成したＤＴＰデータをもとにユニットデータベース３４に登録されたユニットデータ３４ａを流用することができ、またユニットデータ３４ａの一部を変更して新たなＤＴＰデータ作成することができる。以下、そのための機能動作について説明する。
【００５３】
まず、商品データベース３０への商品情報データ３０ａの登録について説明する。
商品データベース３０には、予め印刷物に掲載する商品（会社）の情報が例えばテキストデータによって商品情報データ３０ａとして登録される。商品データベース３０に登録される商品情報データ３０ａは、ＤＴＰ機能部２４によって作成されるＤＴＰデータに利用することができる。
【００５４】
商品情報管理部２２ａは、クライアント端末１２から商品（求人広告を掲載する会社）についての情報の入力要求があると、例えば図３に示すような掲載情報入力用の画面を提供する。クライアント端末１２は、商品情報管理部２２ａから提供される掲載情報入力用の画面をＷｅｂブラウザを通じて表示させる。
【００５５】
図３に示す掲載情報入力用の画面には、商品に固有の識別データとして扱われる掲載ＩＤ、掲載社名、掲載ヨミ、掲載営業所名、…、最終掲載号、最終掲載ページ、掲載業種、掲載インデックス用職種、掲載募集要項、…、掲載備考など、各種の情報を入力するための入力欄が設けられている。
【００５６】
商品情報管理部２２ａは、クライアント端末１２において、掲載情報入力用の画面を通じて、それぞれの項目に対して情報が入力され、画面中に設けられた「登録」ボタンによって登録の実行が指示されると、入力された情報を商品情報データ３０ａとして商品データベース３０に登録する。
【００５７】
なお、商品情報データ３０ａには、商品のそれぞれについて、ユニットデータベース３４に登録される対応するユニットデータ３４ａ及びコマ割情報３４ｂを示すユニット管理用のデータ（図示せず）が付加され、対応関係が管理されるものとする。
【００５８】
図４には、商品データベース３０に登録される商品情報データ３０ａの概念を示している。商品データベース３０には、商品（ここでは会社）毎に、掲載情報入力用の画面を通じて、各項目に対して入力された情報が対応づけて登録される。１つの商品に対する商品情報データ３０ａには、商品に固有の識別データが含まれている。図３に示す掲載ＩＤの例では、６桁の数字、例えば「１２３４１１」が登録される。
【００５９】
次に、媒体データベース３２への媒体データ３２ａの登録について説明する。
【００６０】
媒体データベース３２には、予め媒体（ここでは求人広告誌）についての情報が媒体データ３２ａとして登録される。
【００６１】
媒体情報管理部２２ｂは、クライアント端末１２から媒体に関するデータを管理するための媒体スケジュール管理の実行要求があると、例えば図５に示すような媒体スケジュール管理用の画面を提供する。クライアント端末１２は、媒体情報管理部２２ｂから提供される媒体スケジュール用の画面をＷｅｂブラウザを通じて表示させる。媒体スケジュール用の画面には、媒体データベース３２に登録されている媒体データ３２ａをもとに、既に登録済みの媒体が一覧表示されている。
【００６２】
本実施形態では、媒体として毎週発行される求人広告誌を対象としており、図５に示すように、管理対象としている媒体に付した媒体番号（Ｎｏ．）、号数、発行日とを対応づけて一覧表示されている。また、図５中に示す特集、ユニット数の情報は、後述する掲載スケジュールデータ３２ｂをもとに表示される。なお、ユニット数の情報は、以下の説明を簡単にするために１つの商品について、１つのユニットデータが生成されるものとすると、媒体に掲載する商品の数を表す。
【００６３】
この媒体スケジュール管理用の画面に設けられた「新規登録ボタン」によって、新規媒体の登録が要求されると、媒体情報管理部２２ｂは、媒体登録用の画面を提供し、この画面を通じて入力された媒体に関する情報を媒体データ３２ａとして媒体データベース３２に登録する。
【００６４】
図６には、媒体データベース３２に登録される媒体データ３２ａと掲載スケジュールデータ３２ｂの概念を示している。媒体データベース３２には、媒体データ３２ａとして例えば媒体番号（Ｎｏ．）、号数、発行日などのデータが対応づけて登録される。なお、掲載スケジュールデータ３２ｂについては、後述する掲載スケジュール入力処理によって登録される（図７、図８参照）。
【００６５】
次に、掲載スケジュール入力処理について、図７に示すフローチャートを参照しながら説明する。掲載スケジュール入力処理では、制作対象とする媒体（求人広告誌）に掲載する商品（会社）を選定させて、媒体データ３２ａと対応づけて掲載スケジュールデータ３２ｂとして登録する。
【００６６】
まず、商品選定部２２ｃは、商品データベース３０中に登録された商品情報データ３０ａ中から、媒体に掲載しようとする商品を選定させる（ステップＡ１）。例えば、商品選定部２２ｃは、商品データベース３０に登録済みの会社名（掲載社名、掲載営業所名等と共に）を一覧表示させて、その中から選択させる。
【００６７】
次に、商品選定部２２ｃは、商品データベース３０から選択された商品について、例えば図８に示すような掲載スケジュール入力用の画面を表示させ、この画面を通じて商品についての掲載媒体、掲載状況などの指定を入力する（ステップＡ２）。
【００６８】
図８に示す画面例では、掲載スケジュール入力用の画面には、印刷データの作成工程の進行状況を表す表示が付加されている。印刷データの作成工程の進行状況としては、商品データベース３０から選択された会社について、媒体への掲載対象として選択された商品についての主要な情報、例えば掲載ＩＤ、掲載社名、掲載営業所名の情報と共に、進行状況を表すグラフ（受付、作成済、責了、校了の段階を表す）が表示されている。
【００６９】
掲載スケジュール入力用の画面には、媒体データベース３２に登録された媒体の一覧と共に、それぞれに媒体に対する掲載状況、指示号、特集の有無を指定する入力項目が設けられている。掲載状況は、対象とする媒体に対して「掲載無し」、新たなＤＴＰデータを作成する「新規」、過去の媒体に掲載した同じ内容のＤＴＰデータ（ユニットデータ）を使用する「在版」、過去の媒体に掲載したＤＴＰデータ（ユニットデータ）の一部を変更する「一部変更」などを任意に指定することができる。指示号は、過去のＤＴＰデータを利用する場合の対象とする媒体を指定するための項目である。
【００７０】
こうして、掲載スケジュール入力用の画面において、現在、対象としている商品を掲載する媒体に対して、指示号、掲載状況、特集の有無などが入力され、「登録ボタン」により実行が指示されると、商品選定部２２ｃは、入力された内容を、媒体データベース３２の媒体データ３２ａのそれぞれに対応づけて、図６に示すように、掲載スケジュールデータ３２ｂとして登録する（ステップＡ３）。
【００７１】
なお、前述した掲載スケジュール入力処理では、商品データベース３０中に登録された商品を選択し、その商品を掲載する媒体の指定を行っているが、掲載スケジュールの入力対象とする媒体を指定し、この媒体に掲載する商品を商品データベース３０に登録された商品から選択するような手順であっても良い。
【００７２】
次に、媒体データベース３２に掲載スケジュールデータ３２ｂが登録された商品（会社）についてのＤＴＰデータの作成について説明する。
掲載スケジュールデータ３２ｂにおいて、掲載状況として「新規」「一部変更」が指定された場合には、ＤＴＰ機能部２４によって、この商品に対するＤＴＰデータの作成が実行される。なお、ＤＴＰ機能部２４によるＤＴＰデータの作成については、既存の技術によって作成されるものとして詳細な説明を省略する。ただし、掲載状況が「一部変更」である場合には、後述するユニットデータベース３４に登録された、この商品に対応するユニットデータ３４ａをもとに作成される。
【００７３】
また、本実施形態では、ＤＴＰ機能部２４によるＤＴＰデータを作成するための既存のツールを利用して、ＤＴＰデータ中で用いられるデータと、商品データベース３０に登録されるデータとの関連付けをすることができる。
【００７４】
図９には、ＤＴＰ機能部２４によってＤＴＰデータを作成する際のＤＴＰ画面を表している。
ＤＴＰ機能部２４は、商品についての情報（テキスト、イラスト、画像など）を媒体に掲載する紙面上のレイアウトを定義する場合、それぞれのレイアウト位置を定義するボックスを指定する。図９に示す例では、商品データベース３０に登録された商品情報データ３０ａ（テキストデータ）を印刷するためのテキストボックスが設定されている状態を表している。
【００７５】
ＤＴＰ機能部２４の既存のツールとして、テキストボックス内に含まれる文字、テキストボックス内の背景、テキストボックスの枠（フレーム）などに対して、印刷時の色を任意に指定するための色指定機能がある。ＤＴＰ機能部２４は、この色指定機能が指示された場合、図９中に示すようなカラー定義ウィンドウを表示する。カラー定義ウィンドウには、インデックスが一覧表示されており、それぞれのインデックスに対して任意の色を定義して、レイアウト中の任意のボックスと対応づけることができる。
【００７６】
本実施形態のＤＴＰ機能部２４では、カラー定義ウィンドウのインデックスに対して、色の代わりに商品データベース３０に登録された商品情報データ３０ａのデータ項目を定義することができる。
【００７７】
例えば、カラー定義ウィンドウの「ＩＮＤＥＸ０１」に対して、商品データベース３０のデータ項目「掲載社名」を定義し、「ＩＮＤＥＸ０１」と掲載社名が記載されるテキストボックスＡとを対応づけると、このテキストボックスＡと商品データベース３０中の商品情報データ３０ａのデータ項目「掲載社名」とを関連付けることができる。同様にして、「ＩＮＤＥＸ０２」に対して、商品データベース３０のデータ項目「掲載会社概要」を定義し、「ＩＮＤＥＸ０２」と掲載会社概要が記載されるテキストボックスＢとを対応づけると、このテキストボックスＢと商品データベース３０中の商品情報データ３０ａのデータ項目「掲載会社概要」とを関連付けることができる。
【００７８】
図１０に示すように、例えば掲載ＩＤ「６５４３２１」のＤＴＰデータの作成（編集）をしている場合に、カラー定義のツールを利用して「掲載社名」のテキストデータを印刷するテキストボックスＡに対して、「掲載社名」を定義した「ＩＮＤＥＸ０１」と対応づけることで、商品データベース３０の掲載ＩＤ「６５４３２１」の商品情報データ３０ａのデータ項目「掲載社名」と関連付けることができる。　こうして、ＤＴＰ機能部２４により、商品データベース３０に登録された商品情報データ３０ａのデータ項目と、テキストデータを印刷する位置を表すテキストボックスとを関連付けしておくことで、ＤＴＰ機能部２４によって当該テキストボックス内のテキストデータが変更された場合に、ＤＴＰクライアント部２６のユニットアップロード部２６ｂにより、変更された内容を関連付けられた商品情報データ３０ａのデータ項目に反映させることができる。
【００７９】
なお、ＤＴＰデータ中で用いられるデータと、商品データベース３０に登録される商品情報データ３０ａ（データ項目）との関連付けは、前述したＤＴＰ機能部２４が持つ色指定機能を利用する他にも、フォント名やフォントサイズを指定する機能を利用して設定することもできる。
【００８０】
例えば、フォント名「太ゴシック」に対して、商品データベース３０のデータ項目「掲載社名」を定義し、掲載社名が記載されるテキストボックスＡにフォント名「太ゴシック」を指定することで、このテキストボックスＡと商品データベース３０中の商品情報データ３０ａのデータ項目「掲載社名」とを関連付けることができる。
【００８１】
同様にして、フォントサイズ（１０ポイント、１２ポイント…など）についてもデータ項目とを関連付けることができる。また、フォント名とフォントサイズとの組み合わせと、データ項目とを関連付けることもできる。
【００８２】
さらには、ＤＴＰデータ中で扱われる特定のテキストとデータ項目とを対応づけることもできる。例えば、ＤＴＰデータ中で扱われるテキストデータにおいて、データ項目との対応づけのキーとなる文字列「［機能］」「［サイズ］」などを定義し、これらのキー文字列のそれぞれと任意のデータ項目とを対応づける。これにより、それぞれのキー文字列に続くテキスト（「［機能］……」「［サイズ］……」のそれぞれの「……」の部分）とデータ項目とを関連付けることができる。
【００８３】
こうして、前述したように、ＤＴＰ機能部２４により、商品データベース３０に登録された商品情報データ３０ａのデータ項目との関連付けを設定しておくことで、ＤＴＰ機能部２４によってデータ項目と関連付けられたテキストデータが変更された場合に、ＤＴＰクライアント部２６のユニットアップロード部２６ｂにより、変更された内容を関連付けられた商品情報データ３０ａのデータ項目に反映させることができる。
【００８４】
また、本実施形態における設計システムには、データベース管理部２２により実現される自動組版用テキスト出力機能が設けられており、この機能を利用して商品情報データ３０ａのデータ項目と、ＤＴＰ機能部２４により扱われるテキストデータとの関連付けを定義することもできる。
【００８５】
自動組版用テキスト出力機能は、予め用意された自動組版用のテンプレートを利用してＤＴＰデータを作成するためのテキストを作成出力する機能であり、例えば商品データベース３０に登録された商品情報データ３０ａの各データ項目の内容をもとに自動組版用テキストを生成する。
【００８６】
図１１（ａ）には、自動組版用テキストの一例を示し、図１１（ｂ）には、図１１（ａ）に自動組版用テキストに対応するテンプレートの一例を示している。図１１（ｂ）に示すように、テンプレートでは、ＤＴＰデータとして作成されるレイアウトが予め定義されており、例えば複数のテキストボックスＡ，Ｂ，Ｃ，Ｄ，Ｅ，Ｆ，Ｇ，Ｈ，Ｊが定義されている。なお、図１１（ｂ）では説明を容易にするために、図１１（ａ）に示すテキストの内容がそれぞれ対応するテキストボックス内に挿入された状態を示している。
【００８７】
まず、自動組版用テキスト出力機能は、図１１（ａ）に示すように、商品データベース３０に登録されたテキスト出力の対象とする商品情報データ３０ａの掲載ＩＤ（図１１（ａ）では「０１２３４５」）と、複数用意されているテンプレートのうち利用するテンプレートを示す自動組版テンプレートパターン番号（図１１（ａ）では「４」）を設定する。そして、利用するテンプレートに合わせて、商品情報データ３０ａの各データ項目に登録されたテキストデータを、それぞれの区分を表すタグ（例では＜￥＞）を挿入しながら配列していく。図１１（ａ）に示す例では、データ項目の掲載社名、掲載営業所名、掲載電話番号、掲載住所…の順でテキストデータを配列している。また、それぞれのテキストデータに対するフォント、文字サイズ、色などの修飾を表すタグを挿入することで定義していく。なお、図１１（ａ）に示す例では、説明を簡単にするためにフォントを指定するタグ＜フォント名１＞＜フォント名２＞のみを示している。
【００８８】
このように、自動組版用テキスト出力機能によって自動組版用テキストが出力されることにより、ＤＴＰ機能部２４（自動組版プログラム）は、指定されたテンプレートの各テキストボックスに、自動組版用テキストで指定されたテキストデータを挿入してＤＴＰデータを作成することができる。
【００８９】
前述したように、自動組版用テキストは、商品情報データ３０ａの各データ項目の内容をもとに生成されており、各データ項目とテンプレート中の各テキストボックスとが対応づけられることになる。ＤＴＰ機能部２４は、自動組版用テキストをもとにテンプレートを利用してＤＴＰデータを作成した場合、各データ項目と各テキストボックスとの対応をもとに関連付けを定義する。なお、関連づけの定義は、前述したカラー定義ウィンドウを用いた方法や、フォントやフォントサイズを用いた方法によって定義内容を設定しておき、ＤＴＰ機能部２４によって任意に変更できるようにする。
【００９０】
こうして、自動組版用テキスト出力機能を利用して商品情報データ３０ａのデータ項目と、ＤＴＰ機能部２４により扱われるテキストデータとの関連付けを定義することができ、テキストデータに対する変更をデータ項目の内容に反映させることができるようになる。
【００９１】
なお、前述した説明では、ＤＴＰ機能部２４によるテキストデータに対する変更を商品情報データ３０ａの対応するデータ項目の内容に反映させるものとして説明しているが、ＤＴＰデータ中のテキストデータとの関連付けが定義されたデータ項目については、このデータ項目に対する変更をＤＴＰデータあるいはユニットデータベース３４に登録されたユニットデータ３４ａに反映させることもできる。
【００９２】
ユニットアップロード部２６ｂは、ユニットデータ中のテキストデータと関連付けられたデータ項目が商品情報管理部２２ａによって変更された場合、ユニットデータ中のテキストデータに反映させる。
【００９３】
次に、ＤＴＰ機能部２４によって作成されるＤＴＰデータをもとにユニットデータを作成するユニットデータ作成処理について、図１２に示すフローチャートを参照しながら説明する。
ユニットデータ作成処理では、ＤＴＰ機能部２４によって作成されＤＴＰデータをもとにして、その後に流用が容易となるような形式であるユニットデータを作成して、ユニットデータベース３４において管理できるようにする。
【００９４】
まず、ＤＴＰ機能部２４により商品データベース３０に登録された商品に対するＤＴＰデータの作成／編集をしている状態において、ユニット作成処理の実行が指示されると、ＤＴＰクライアント部２６は、ユニット分割部２６ａにより、現在編集中のＤＴＰデータをもとにユニットに分割する（ステップＢ１）。ＤＴＰ機能部２４によるＤＴＰデータの作成では、レイアウト上で関連のある複数のデータに対してグループを定義することができる。ユニット分割部２６ａは、このグループ化されたデータの関係からユニットを分割する。なお、１つの商品について、１つのユニットデータが生成されるものとしている場合には、ユニット分割部２６ａによるユニットの分割は不要であり、ＤＴＰデータ全体をユニットとして扱うものとする。
【００９５】
ユニット分割部２６ａは、分割されたユニット中のレイアウトデータとユニットと関連付けられた付属データとを取得する（ステップＢ２）。レイアウトデータは、ＤＴＰデータ中のテキスト、画像、イラストなどの位置、色、形状など、デザインやレイアウトを定義するデータであり、また、付属データは、レイアウト上では表現されないデータである。付属データは、レイアウト上では表現されないが、例えば商品に対するＤＴＰデータを作成する際に参照することが有効なデータである。付属データは、後述するユニットデータ修正処理において台紙パレット上で入力されるデータであったり、ユニット（レイアウト）中で作成されたデータ（例えばテキストボックス）上にさらに他のデータが定義されることで、結果的にレイアウト上で表現されなくなったデータとする。
【００９６】
ユニット分割部２６ａは、レイアウトデータと付属データとを含むユニット保管データを生成し（ステップＢ３）、さらにユニットのレイアウト中で用いられるデータ、例えば画像やイラストのデータのファイルを取得する（ステップＢ４）。通常、ＤＴＰ機能部２４によって作成されるＤＴＰデータは、レイアウトを定義するデータの他に、そのレイアウト中で用いられるイラストや画像についてのデータが別ファイルで用意されている。なお、ユニット保管データは、後述する台紙パレット上で扱われるデータとなる。
【００９７】
また、ユニット分割部２６ａは、商品に対応する一意に決定される識別データ、例えば現在、ＤＴＰデータの作成対象としている会社に対して予め設定されている掲載ＩＤ（ここでは６桁の数字）を、ファイルの保存場所を表すフォルダ名に含め、またイラストや画像などのファイルのファイル名（ファイル名に含まれる拡張子については、データの内容によって異なる）に含めることで付加する。
【００９８】
図１３には、ユニット分割部２６ａによって作成されるユニットデータ３４ａの概念を示している。図１３に示すように、１つのユニットに対応するユニットデータ３４ａには、付属データ４０ａとレイアウトデータ４０ｂとを含むユニット保管データ４０と、レイアウトデータ４０ｂで用いられるイラストデータファイル４２、画像データファイル４３、テキストデータファイルなどが含まれる。なお、図１３中に示すプレビュー用データファイル４１は、後述する処理により作成されて、イラストデータファイル４２などと共にユニットデータ３４ａとして保存される。
【００９９】
なお、図１３に示すユニットデータ３４ａの概念は一例を示すものであって、他のデータ構造を用いることも可能である。例えば、ユニット保管データ４０を独立して設けているが、付属データ４０ａとレイアウトデータ４０ｂが後述する台紙パレットで扱われるデータであることが識別できれば、これらのデータも他のデータ（イラストや画像）のファイルと同様に扱うこともできる。
【０１００】
次に、ユニットアップロード部２６ｂは、ユニット分割部２６ａによって生成されたユニットデータ３４ａを、このユニットデータ３４ａに付加された例えばファイルの保存場所を表すフォルダ名及びファイル名に応じて、ユニットデータベース３４に保存する（ステップＢ５）。
【０１０１】
図１４には、ユニットデータベース３４にユニットデータ３４ａを保存するデータ構造の概念（ディレクトリ構造を表す）を示している。
図１４に示すように、商品データベース３０に登録される会社（ここでは会社と支店（営業所））に対して掲載ＩＤ（６桁の数字）が設定されており、その会社の求人広告誌に掲載する印刷物のユニットデータ３４ａを保存するためのフォルダ（図１４中では掲載情報フォルダ）が設けられている。
【０１０２】
例えば、掲載ＩＤ「１０００１１」の会社に対しては、この掲載ＩＤ「１０００１１」を含む掲載情報フォルダ名「１０００１１０１」が付されている。この掲載情報フォルダは、この会社に対して異なるデザインやレイアウトのＤＴＰデータが作成された場合には（掲載スケジュール入力において掲載状況として「新規」「一部変更」が指定された場合）、掲載ＩＤ「１０００１１」の下位に順次「０１」「０２」「０３」…を付したフォルダ名が付されて新たに作成される。すなわち、１つの会社に対して過去に複数のデザインやレイアウトのＤＴＰデータが作成されたとしても、それらが体系的にユニットデータベース３４に登録されることになる。
【０１０３】
また、掲載情報フォルダには、ユニットに用いられたデータのファイルを保存するためのフォルダ（図１４中では募集コマユニット）が、ユニットのそれぞれに対応して設けられている。
【０１０４】
例えば、掲載情報フォルダ名「１０００１１０１」のフォルダに保存されるユニットについては、掲載情報フォルダ名「１０００１１０１」の下位に順次「０１」「０２」「０３」…を付した募集コマユニットフォルダ名（１０桁）が付された募集コマユニットフォルダが作成されて保存される。
【０１０５】
さらに、募集コマユニットフォルダには、掲載ＩＤを含む（募集コマユニットフォルダ名と同じ）ファイル名が付されて、それぞれのデータのファイルが保存される。例えば、募集コマユニットフォルダ「１０００１１０１０１」には、このユニットに用いられた画像データファイルにファイル名「１０００１１０１０１．ｊｐｇ」を付して保存する（拡張子「．ｊｐｇ」は画像データを表す）。
【０１０６】
こうして、会社に付される固有の掲載ＩＤを含むフォルダ名が付された掲載情報フォルダ及び募集コマユニットフォルダを設け、さらに募集コマユニットフォルダに保存するファイルのファイル名を募集コマユニットフォルダ名と同じとすることで、レイアウト中で用いられるデータのファイルを含めて体系的に管理することができる。
【０１０７】
なお、ユニットデータベース３４には、会社の求人広告に対応するユニットのユニットデータ３４ａだけでなく、商品データベース３０に登録された商品（会社）と直接関係しない、例えばコラム、記事（地域ニュース）、扉などの媒体に掲載される印刷物に対応するユニット（図１４ではフリーコマユニット）のデータを保存しておくこともできる。
【０１０８】
この場合、商品データベース３０に登録された会社の掲載ＩＤとは体系が異なるＩＤを用いたフォルダ名を付したフォルダと、ファイル名を付したファイルとしてユニットデータを保存する。これにより、会社に対する印刷物のユニットデータ３４ａとは別の独立した管理が可能となる。
【０１０９】
ところで、ユニットアップロード部２６ｂは、ユニットデータ３４ａをユニットデータベース３４に登録する際、レイアウトデータ中で商品情報データ３０ａのデータ項目と関連付けされているデータが存在するか判別する（ステップＢ６）。ここで、関連付けがされていた場合（ステップＢ６、Ｙｅｓ）、ユニットアップロード部２６ｂは、該当するデータ、すなわちテキストボックス中のテキストデータを、関連付けられた商品情報データ３０ａのデータ項目に登録する（ステップＢ７）。これにより、ＤＴＰ機能部２４によって該当するテキストボックス中のテキストデータが変更されている場合には、その変更された内容が商品データベース３０に自動的に反映されることになる。
【０１１０】
また、ユニットアップロード部２６ｂは、レイアウトデータと、このレイアウトデータ中で用いられるテキスト、イラスト、画像などのデータをもとに、ＤＴＰデータをもとに印刷した時の印刷イメージを表すプレビュー用のデータを生成し（ステップＢ８）、このプレビュー用データを他のイラストや画像のデータファイルと共にユニットデータ３４ａに登録する（ステップＢ９、図１３参照）。例えば、プレビュー用データは、ＰＤＦ（Ｐｏｒｔａｂｌｅ　Ｄｏｃｕｍｅｎｔ　Ｆｏｒｍａｔ）、あるいはＥＰＳ（Ｅｎｃａｐｓｕｌａｔｅｄ　ＰｏｓｔＳｃｒｉｐｔ）の形式によって生成される。
【０１１１】
ここで、ユニット分割部２６ａは、ＤＴＰデータに含まれていた全てのユニットの全てについて処理が終了していなければ（ステップＢ１０、Ｎｏ）、前述と同様にして、他のユニットについてユニットデータ３４ａを生成してユニットデータベース３４に登録する（ステップＢ２〜Ｂ９）。
【０１１２】
一方、全てのユニットについて処理が終了すると（ステップＢ１０、Ｙｅｓ）、ユニットデータ作成処理を終了する。この結果、１つの商品についてのＤＴＰデータ中に複数のユニットか存在した場合には、複数のユニットのそれぞれについてのユニットデータ３４ａが生成されてユニットデータベース３４に登録されることになる。これは、図１４に示す募集コマユニットの複数のフォルダに該当する。この複数のユニットに対応するフォルダは、その上位のフォルダ（フォルダ名「１０００１１０１」）を指定することで、一括してユニットデータベース３４から読み出すことができる。
【０１１３】
次に、ユニットデータ作成処理によってユニットデータベース３４に登録されたユニットデータに対して修正を行なうユニットデータ修正処理について、図１５に示すフローチャートを参照しながら説明する。
【０１１４】
例えば、ＤＴＰ機能部２４による処理の実行中に、ユニットのダウンロード要求が入力されると、ユニットダウンロード部２６ｃは、ユニットダウンロード用の画面を提供し、クライアント端末１２の画面に表示させる（ステップＣ１）。
【０１１５】
図１６には、ユニットダウンロード用の画面の一例を示している。ユニットダウンロード用の画面には、検索条件として、掲載ＩＤ（数字６桁）、ユニットＩＤ（数字１０桁）、予定号などを指定することができる項目が設けられている。
【０１１６】
このユニットダウンロード用の画面を通じてダウンロード対象とするユニットの指定が入力されると（ステップＣ２）、ユニットダウンロード部２６ｃは、指定入力に応じてＩＤ（掲載ＩＤまたはユニットＩＤ）をもとに、ユニットデータベース３４から該当するユニットデータ３４ａを検索する（ステップＣ３）。そして、ユニットダウンロード用の画面において、検索結果を表示する。
【０１１７】
図１６に示す例では、検索結果として、募集コマユニットフォルダ名（あるいはファイル名）をユニットＩＤとして表示し、このユニットＩＤに対応する掲載ＩＤが付された商品データベース３０に登録された掲載社名を対応づけて表示している。なお、図１６中のユニットパターンは、該当するユニットデータ３４ａ中のレイアウトデータ４０ｂをもとに判別される媒体（紙面）に対するレイアウトサイズ（１，１／２，１／４など）を表している。
【０１１８】
ここで、検索結果として表示された中から修正の対象とするユニットデータを選択する指示が入力されると（ステップＣ５）、ユニットダウンロード部２６ｃは、ＤＴＰ機能部２４に対して、該当するユニットデータベース３４に登録されていたユニットデータ３４ａをもとにして、ユニットデータ編集用の台紙パレットを表示させる（ステップＣ６）。
【０１１９】
図１７には、台紙パレットの一例を示している。図１７に示すように、台紙パレットには、ユニットデータ３４ａ中のユニット保管データ４０をもとに、付属データ４０ａとレイアウトデータ４０ｂの内容が表示されている。なお、レイアウト表示の下部には、募集コマユニットのフォルダ名（あるいはファイル名）を表示している。
【０１２０】
ＤＴＰ機能部２４は、通常のＤＴＰデータを作成するための機能を用いて、修正入力に応じて、付属データ４０ａあるいはレイアウトデータ４０ｂに対する修正を実行する（ステップＣ７）。
【０１２１】
ここでは、付属データがレイアウトと共に表示されているため、レイアウトの編集を、付属データの内容を参照しながら実行することができる。すなわち、レイアウトの作成／編集などをする際に有効な情報を付属データとして登録しておくことで、これらの情報を別に管理して、必要な時に印刷出力して参照するといった作業を行なう必要がないので、効率的な作業を実現することができる。
【０１２２】
また、ここでは、前述した図９及び図１０に示すように、付属データあるいはレイアウト中のテキストデータと商品情報データ３０ａのデータ項目との関連付けを設定することもできる。
【０１２３】
台紙パレット上におけるユニットデータ３４ａに対する修正が終了すると、ユニットアップロード部２６ｂは、付属データあるいはレイアウトデータ中で商品情報データ３０ａのデータ項目と関連付けされているデータが存在するか判別する（ステップＣ８）。ここで、関連付けがされていた場合（ステップＣ８、Ｙｅｓ）、ユニットアップロード部２６ｂは、該当するテキストデータを、関連付けられた商品情報データ３０ａのデータ項目に登録する（ステップＣ９）。これにより、ＤＴＰ機能部２４によって該当するテキストボックス中のテキストデータが変更されている場合には、その変更された内容が商品データベース３０に自動的に反映されることになる。
【０１２４】
ユニットダウンロード部２６ｃは、修正されたユニット保管データ４０とレイアウト中で用いられるデータのファイルとをユニットデータ３４ａとしてユニットデータベース３４に保存する。この時、修正前のユニットデータ３４ａを残して新たなユニットデータ３４ａを作成するか、修正されたユニットデータ３４ａを元の募集コマユニットフォルダに書き戻すか、任意に選択できるようにしても良い。
【０１２５】
なお、前述した説明では、ユニットデータベース３４に登録されたユニットデータ３４ａを、台紙パレット上で表示させることで内容を確認できるものとしているが、ユニットデータ３４ａに含まれるプレビュー用データファイル４１をもとにユニットのプレビューを表示させて、ユニットの内容を確認することもできる。
【０１２６】
図１８には、データベース２０に登録された情報（ユニットを含む）の検索などを実行するための操作画面の一例を示している。ＤＴＰクライアント部２６は、任意に入力される要求に応じて、この操作画面を表示させることができる。
【０１２７】
操作画面には、商品データベース３０に登録された情報の検索条件を入力するための複数の項目、例えば掲載ＩＤ、掲載社名、掲載営業所、掲載郵便番号、掲載住所…などを入力するための項目が設けられている。
【０１２８】
ユニットダウンロード部２６ｃは、これらの項目に入力された情報をもとに商品データベース３０から該当する商品情報データ３０ａを検索し、検索結果として商品情報データ３０ａ中の特定のデータ（掲載ＩＤ、掲載社名・営業所名、最終掲載号・ページなど）を表示する。この際、該当する商品データベース３０に登録された商品（掲載ＩＤ）に対応する、ユニットデータベース３４に登録されているユニットデータ３４ａのユニットＩＤの他、このユニットＩＤが示すユニットのプレビュー表示を実行させるためのボタン（プレビューボタン）も対応づけて表示される。
【０１２９】
ここで、プレビューボタンが指示された場合、ユニットデータベース３４に登録された該当するユニットデータ３４ａに含まれるプレビュー用データファイル４１が読み出され、このプレビュー用データファイル４１をもとにユニットのプレビューが表示される。なお、プレビュー表示は、プレビュー用データファイル４１に応じたアプリケーションが起動されて、このアプリケーション上で表示されものとする。
これにより、ＤＴＰ機能部２４上でなくてもユニットのレイアウトやデザインなどを簡単に確認することができる。
【０１３０】
次に、コマ割り処理について、図１９に示すフローチャートを参照しながら説明する。コマ割り処理は、ＤＴＰ機能部２４に作成された実際の印刷に用いられるＤＴＰデータを用いないで、ユニットデータベース３４に登録されたユニットデータ３４ａを用いて、商品についての印刷物を掲載する媒体における位置の割り当て（コマ割り）を実行するものである。なお、ここでは説明を簡単にするために、１つの商品について１つのユニットが作成されているものとして説明する。
【０１３１】
まず、コマ割り処理の実行が指示されると、コマ割部２８のコマ割処理部２８ａは、媒体データベース３２に登録された媒体から、コマ割りの対象とする媒体を選択させる（ステップＤ１）。ここでは、求人広告誌の特定の号数を指定することで、媒体の指定が行われるものとする。
【０１３２】
コマ割処理部２８ａは、商品についての印刷物を掲載すべきレイアウトを表す台割パレットを表示させる（ステップＤ２）。また、コマ割処理部２８ａは、指定された媒体と対応づけられた掲載スケジュールデータ３２ｂをもとに、媒体に対して掲載すべき商品のデータを掲載パレット中に一覧表示する（ステップＤ３）。
【０１３３】
図２０には、掲載パレットと台割パレットが表示された画面の一例を示している（図２０中に示すコマ割りパレットは台割パレットに対する操作によって表示される）。
【０１３４】
台割パレットは、例えば図２１に示すような構成となっており、媒体の各ページを表す台割キャンバス（ページを表す番号が付されている）が配列されている。台割パレットでは、ページ追加あるいはページ削除の指示に応じて、台割キャンバスが追加あるいは削除される。台割キャンバスには、後述する操作によって割り当てられた商品（会社）の配置状況や各種のコメントが表示される。なお、配置状況は、割り当てられた商品についてのＤＴＰデータ（ユニットデータ）が「新版」「一部変更」「在版」の何れであるかを、掲載スケジュールデータ３２ｂを参照して、それぞれ異なる色によって表すことができる。
【０１３５】
掲載パレットでは、掲載スケジュールデータ３２ｂとして登録された商品についての掲載ＩＤ、掲載社名、掲載営業所名など、商品を特定することができる主要なデータが一覧表示されている。図２０に示す掲載パレットは、掲載スケジュールデータ３２ｂとして登録された全ての商品を表示する「一覧」、台割パレットへの未配置の商品のみを表示する「未配置一覧」、媒体への掲載順に商品を表示する「掲載順一覧」などに表示形態を変更することができる。
【０１３６】
ここで、台割パレット中の台割キャンバスが、例えばマウスによってダブルクリック操作がされると（ステップＤ４）、コマ割処理部２８ａは、指定された台割キャンバスのページに対応するコマ割パレットを表示させる（ステップＤ５、図２０）。
【０１３７】
コマ割パレットは、図２２に示すように、台割パレット中で指定された台割キャンバスに対応する見開き２ページを表しており、各ページを１６等分するグリッドが付加されている。
【０１３８】
ここで、図２０に示す画面において、掲載パレットに表された商品を選択する指示と、この指示された商品に対するコマ割パレットに対する位置の指定を入力する（ステップＤ６）。例えば、マウスの操作によって、掲載パレットに表された特定の商品をドラッグし、コマ割パレット上の割り当てようとする位置でドロップする。
【０１３９】
コマ割処理部２８ａは、掲載パレット中で選択された商品に対応するユニットデータ３４ａ（レイアウトデータ４０ｂ）をもとにした、媒体（紙面）に対するレイアウトサイズ（１，１／２，１／４など）に応じてコマ割り位置を設定する（ステップＤ７）。なお、レイアウトサイズについては、ユニットデータベース３４に登録されたユニットデータ３４ａ（レイアウトデータ４０ｂ）をもとに、掲載スケジュールデータ３２ｂとして登録された各商品のそれぞれに対応づけて登録しておき、他のデータと共に掲載パレットに表示させておくことができる。また、このレイアウトサイズのデータをもとにコマ割り位置の設定をすることができる。
【０１４０】
例えば、レイアウトサイズが１／４であり、コマ割パレットのページ左上のグリッド中でドロップされた場合には、左上の１／４のグリッド位置にコマ割り位置を設定する。
【０１４１】
以下、同様にして、掲載パレット中の各商品（会社）について、台割パレットにおいて割り当て対象とするページを指定し、コマ割りパレットを表示させ、このコマ割パレットに対して位置の指定を行なうことで、簡単にコマ割りをすることができる（ステップＤ４〜Ｄ８）。ここでは、マウスによるドラッグ＆ドロップといった簡単な操作によって操作が可能であるので、効率良くコマ割りを実施することが可能となる。
【０１４２】
なお、コマ割処理部２８ａは、コマ割パレットに対して割り当てられた商品について、例えば掲載社名、業種、掲載ＩＤなど、主要なデータを表示しておき、コマ割りされた商品を用意に識別できるようにしている。
【０１４３】
掲載パレット中の商品に対するコマ割り処理の終了が指示されると、コマ割処理部２８ａは、コマ割りの内容を示すコマ割情報３４ｂをユニットデータベース３４に登録して（ステップＤ９）、コマ割り処理を終了する。
【０１４４】
図２３には、ユニットデータベース３４に登録されたコマ割情報３４ｂの概念を表している。図２３に示すように、コマ割情報３４ｂには、媒体データベース３２に登録された媒体のそれぞれについて、各ページのコマ位置に割り当てられた商品（割り当てユニット）を示すデータが対応づけて登録されている。登録されるデータとしては、例えば掲載社名、業種、掲載ＩＤなどを含むものとする。
【０１４５】
このようにして、コマ割り処理では、ＤＴＰデータを用いないで、媒体に対する商品についての印刷物を掲載する位置を簡単に設定し、その設定内容が登録されたコマ割情報３４ｂを作成することができる。
【０１４６】
なお、ページアップ部２６ｄは、ページアップの実行が指示された場合、コマ割部２８（コマ割処理部２８ａ）によって設定されたコマ割情報３４ｂを参照して、商品の印刷物を掲載する位置、すなわち媒体の各ページおけるそれぞれのコマ位置に割り当てられたユニットに応じて、この商品に対応するユニットデータ３４ａをもとに、媒体に掲載される商品についての印刷物用のＤＴＰデータを生成することができる。つまり、コマ割情報３４ｂに登録された掲載ＩＤに従って、ユニットデータベース３４に登録されたユニットデータ３４ａを構成することで、ユニットデータ３４ａにはレイアウトデータ４０ｂの他にレイアウト中で用いられるデータのファイルも含まれているため、媒体に対する印刷データを構成することができる。
【０１４７】
また、ユニットデータベース３４に登録されたコマ割情報３４ｂをもとにして、インデックス作成部２８ｂにより、媒体についてのインデックスを作成することができる。インデックス作成部２８ｂは、インデックスの作成が指示された場合、コマ割情報３４ｂが示す商品の媒体におけるレイアウトにおける位置に応じて、この商品についての印刷物の媒体における掲載位置を表すインデックスを作成するためのインデックス用データを生成する。
【０１４８】
図２４（ａ）には、インデックス作成部２８ｂにより生成されるインデックス用データの一例を示し、図２４（ｂ）には、図２４（ａ）に示すインデックス用データにより作成されるインデックスの一例を示している。図２４（ｂ）に示すインデックスは、求人広告誌に掲載する会社を業界別に分類し、会社名の読みに従って５０音順に配列させた形式となっている。
【０１４９】
この場合、インデックス作成部２８ｂは、コマ割情報３４ｃとしてある媒体に対して登録された割当てユニットの業種の情報をもとに、コマ割りされたユニットを業界別に分類し、この分類した業界毎に、求人広告誌に掲載する会社の配列を決定する。
【０１５０】
例えば、インデックス作成部２８ｂは、まず図２４（ａ）に示すように、タイトルを「業界別」とし、複数ある業種のうち例えば「建設／土木／住宅」を最初の分類として定義している。次に、インデックス作成部２８ｂは、コマ割情報３４ｃに業種「建設／土木／住宅」が登録されたユニットを対象とし、コマ割情報３４ｃとして登録された掲載ＩＤに対応する商品情報データ３０ａに登録された掲載社名ヨミのデータを参照し、５０音順に従って会社の配列を決定する。そして、インデックス作成部２８ｂは、インデックス用データのフォーマットに従って、例えば掲載社名、掲載営業所名、掲載雇用形態を表すテキストデータの他、コマ割情報３４ｃを参照して、対象としているユニットが割り当てられている媒体におけるページ数のデータを付加し、それぞれのデータに対するフォント、文字サイズ、色などの修飾を表すタグを挿入してインデックス用データを生成する。なお、図２４（ａ）に示す例では、説明を簡単にするために文字の修飾に関しては、フォントを指定するタグ＜フォント名１＞＜フォント名２＞＜フォント名３＞のみを示している。
【０１５１】
インデックスに掲載する本文としては、例えば先頭のデータについては、フォント名１が示すフォントの文字コード＜２１６＞（図２４（ｂ）中に示す（有）の文字（有限会社を表す））に続いて、掲載社名「宇都宮ＡＡＡ会」、掲載営業所名「宇都宮本社」、ページ数「７５」のテキストデータが記載され、さらにフォント名３が示すフォントの文字コード１（図２４（ｂ）中に示す（正）の文字（正社員を表す））が記載されている。
【０１５２】
以下、同様にして、インデックス作成部２８ｂは、コマ割情報３４ｃに登録された各データを対象として、前述のようにして本文のデータを作成していく。
【０１５３】
こうして、何れの会社についての求人広告が、求人広告誌の何ページに掲載されているかを示すインデックスを作成するためのインデックス用データをコマ割情報３４ｂをもとにして作成することができる。従って、最終的な印刷データなどを参照しながらインデックスを作成する必要が無く、作業効率を大幅に向上させることが可能となる。
【０１５４】
なお、本実施形態では、１商品についてのＤＴＰデータから複数のユニットデータが生成されても良いし、１商品に対して１つのユニットデータが作成されるものとしても良い。これは設計システムにおいて予め設定されていても良いし、ＤＴＰ機能部２４においてＤＴＰデータを作成する際のグループ化の設定によって決められるものであっても良い。
【０１５５】
また、前述した説明では、ＤＴＰ機能部２４によって作成された設計データ（ＤＴＰデータ）を対象として説明しているが、レイアウトを定義し、そのレイアウト中で用いられる素材（テキスト、画像、イラストなど）のデータファイルが別に存在する設計データであれば、本発明を適用することが可能である。
【０１５６】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。本装置を実現するコンピュータは、記録媒体に記録されたプログラムを読み込み、または通信媒体を介してプログラムを受信し、このプログラムによって動作が制御されることにより、上述した処理を実行する。
【０１５７】
また、本願発明は、前述した実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態に示される全構成要件から幾つかの構成要件が削除されても効果が得られる場合には、この構成要件が削除された構成が発明として抽出され得る。
【０１５８】
【発明の効果】
以上詳述したように本発明の請求項１，１０，１２によれば、商品についての印刷物用の設計データをユニットとして分割し、この分割されたユニットに含まれるレイアウトデータとユニットに関連付けられた付属データとを含むユニット保管データを生成し、このユニット保管データとレイアウトデータ中で用いられるデータのファイルとを商品に対応する一意に決定される識別データを付加してユニットデータとして保存することにより、ユニット単位での流用を可能とすると共に管理を容易にすることができるので、ユニットデータを有効に利用して設計の効率を向上させることが可能となる。
【０１５９】
また本発明の請求項２，１１によれば、商品に関するデータを商品に固有の識別データを含めて登録し、登録された商品についての印刷物を掲載する媒体に関するデータを登録し、さらに媒体に掲載させる商品を選定させて登録しておき、登録された商品が示す識別データに対応するユニットデータを保存されたユニットデータから検索して、このユニットデータを商品についての印刷物用の設計データを作成するために提供することで、この提供されたユニットデータを用いて、媒体に掲載する印刷物についての設計データを効率的に作成させることができる。
【０１６０】
また本発明の請求項３によれば、ユニットデータ中の特定のデータと登録された商品に関する商品データとを関連付け、ユニットデータに対する変更を関連付けられた商品データに反映させることにより、ユニットデータに対する変更と商品データに対する変更とをそれぞれについて行なう必要がないので、作業効率の向上を図ることができる。
【０１６１】
また本発明の請求項４によれば、ユニットデータ中の特定のデータと登録された商品に関する商品データとを関連付け、商品に関する商品データに対する変更を関連付けられたユニットデータ中の特定のデータに反映させることにより、商品データに対する変更とユニットデータに対する変更とをそれぞれについて行なう必要がないので、作業効率の向上を図ることができる。
【０１６２】
また本発明の請求項５によれば、ユニット保管データ毎にレイアウトデータと付属データとを表示し、この表示されたレイアウトデータあるいは付属データに対して編集がされた場合に、ユニットデータと関連付けられた商品データに編集内容を反映させるので、ユニット保管データ毎に編集を施すことができると共に、その際に、その編集内容を商品データに対しても個別に編集する必要がないので、作業効率の向上を図ることができる。
【０１６３】
また本発明の請求項６によれば、レイアウトデータと、このレイアウトデータ中で用いられるデータをもとに、プレビュー用のデータを生成し、このプレビュー用データをユニットデータに含めて保存することで、ユニットデータによらずプレビュー用のデータを用いた表示によって、レイアウトデータの内容を確認することができる。
【０１６４】
また本発明の請求項７によれば、媒体における商品についての印刷物を掲載すべきレイアウトを表示し、またレイアウトが表示された媒体に対して掲載すべき商品について一覧表示し、この一覧表示された商品に対するレイアウトにおける位置の指定を入力することで、この商品に対応するユニットデータをもとにレイアウトにおける位置を設定するので、簡単に媒体に対する各商品についての印刷物を掲載する位置を設定することができる。
【０１６５】
また本発明の請求項８によれば、商品のレイアウト（台割パレット、コマ割パレット）における位置に応じて、この商品に対応するユニットデータをもとに、媒体に掲載される商品についての印刷物用の設計データを生成するので、設計データの作成効率を向上させることができる。
【０１６６】
また本発明の請求項９によれば、商品のレイアウトにおける位置に応じて、商品についての印刷物の媒体における掲載位置を表すインデックスデータを生成するので、最終的な印刷データなどをもとにして個別にインデックスデータを作成する必要がないので、作業効率の向上を図ることができる。
【図面の簡単な説明】
【図１】本実施形態に係わる設計システムのシステム構成を示すブロック図。
【図２】図１に示すシステム構成により実現される設計システムの機能構成を示すブロック図。
【図３】本実施形態における掲載情報入力用の画面の一例を示す図。
【図４】本実施形態における商品データベース３０に登録される商品情報データ３０ａの概念を示す図。
【図５】本実施形態における媒体スケジュール管理用の画面の一例を示す図。
【図６】本実施形態における媒体データベース３２に登録される媒体データ３２ａと掲載スケジュールデータ３２ｂの概念を示す図。
【図７】本実施形態における掲載スケジュール入力処理について説明するためのフローチャート。
【図８】本実施形態における掲載スケジュール入力用の画面の一例を示す図。
【図９】本実施形態におけるＤＴＰ機能部２４によってＤＴＰデータを作成する際のＤＴＰ画面の一例を示す図。
【図１０】本実施形態におけるＤＴＰ画面中のテキストボックスと商品情報データ３０ａのデータ項目との関連付けを説明するための図。
【図１１】本実施形態における自動組版用テキストと自動組版用テキストに対応するテンプレートの一例を示す図。
【図１２】本実施形態におけるユニットデータを作成するユニットデータ作成処理について説明するためのフローチャート。
【図１３】本実施形態におけるユニット分割部２６ａによって作成されるユニットデータ３４ａの概念を示す図。
【図１４】本実施形態におけるユニットデータベース３４にユニットデータ３４ａを保存するデータ構造の概念（ディレクトリ構造を表す）を示す図。
【図１５】本実施形態におけるユニットデータ修正処理について説明するためのフローチャート。
【図１６】本実施形態におけるユニットダウンロード用の画面の一例を示す図。
【図１７】本実施形態における台紙パレットの一例を示す図。
【図１８】本実施形態におけるデータベース２０に登録された情報の検索などを実行するための操作画面の一例を示す図。
【図１９】本実施形態におけるコマ割り処理について説明するためのフローチャート。
【図２０】本実施形態における掲載パレットと台割パレットが表示された画面の一例を示す図。
【図２１】本実施形態における台割パレットの一例を示す図。
【図２２】本実施形態におけるコマ割パレットの一例を示す図。
【図２３】本実施形態におけるユニットデータベース３４に登録されたコマ割情報３４ｂの概念を示す図。
【図２４】本実施形態におけるインデックス作成部２８ｂによって生成されるインデックス用データを説明するための図。
【符号の説明】
１０…サーバ
１２，１４…クライアント端末
１６…データベースシステム
２０…データベース
２２…データベース管理部
２２ａ…商品情報管理部
２２ｂ…媒体情報管理部
２２ｃ…商品選定部
２４…ＤＴＰ機能部
２６…ＤＴＰクライアント部
２６ａ…ユニット分割部
２６ｂ…ユニットアップロード部
２６ｃ…ユニットダウンロード部
２６ｄ…ページアップ部
２８…コマ割部
２８ａ…コマ割処理部
２８ｂ…インデックス作成部
３０…商品データベース
３０ａ…商品情報データ
３２…媒体データベース
３２ａ…媒体データ
３２ｂ…掲載スケジュールデータ
３４…ユニットデータベース
３４ａ…ユニットデータ
３４ｂ…コマ割情報
４０…ユニット保管データ
４０ａ…付属データ
４０ｂ…レイアウトデータ
４１…プレビュー用データファイル
【図１】
2004133658.tif 000003
【図２】
2004133658.tif 000004
【図３】
2004133658.tif 000005
【図４】
2004133658.tif 000006
【図５】
2004133658.tif 000007
【図６】
2004133658.tif 000008
【図７】
2004133658.tif 000009
【図８】
2004133658.tif 000010
【図９】
2004133658.tif 000011
【図１０】
2004133658.tif 000012
【図１１】
2004133658.tif 000013
【図１２】
2004133658.tif 000014
【図１３】
2004133658.tif 000015
【図１４】
2004133658.tif 000016
【図１５】
2004133658.tif 000017
【図１６】
2004133658.tif 000018
【図１７】
2004133658.tif 000019
【図１８】
2004133658.tif 000020
【図１９】
2004133658.tif 000021
【図２０】
2004133658.tif 000022
【図２１】
2004133658.tif 000023
【図２２】
2004133658.tif 000024
【図２３】
2004133658.tif 000025
【図２４】
2004133658.tif 000026